(57)【要約】      （修正有）【課題】使い捨て可能なポケットファイル等の書類挿入時めくれや曲がりを防止し挿入する器具を提供する。【解決手段】スーパーの弁当の透明プラスチック製の蓋を利用する。挿入方向に対しスライドできる上蓋２と下蓋１の重ね合わせ位置を特定するための凹凸のうちどちらかの溝３を下蓋に、凹凸のうち残りの溝を上蓋の底面に設け、上蓋となった方が、出し入れする取っ手部分とし、挿入したい例えばレシートの長さの異なるものを横に複数枚並列に並べ、先端部分を上蓋から挿入方向に対し下蓋の出た部分に乗り上蓋から出た状態に挟み、ポケット状のビニールカバーに挿入する。上蓋・下蓋は、挿入時や引き抜き時、挿入方向に対し垂直に弓上にたわむことが出来、レシート等が挿入時ポケット状のビニールカバーに引っかかかり等せず、挿入・引き出しポケットファイルのポケット状のビニール内に挿入・差込み入り、めくれず、折れず、水平垂直方向に適切に配置される。【選択図】図１
2014138995.tif 000002
【特許請求の範囲】
【請求項１】
弾力に富む透明プラスチック製の長方体で上面のない蓋状のもの、大きさは挿入しようとするポケットファイルサイズを下回る縦横の長さに、厚さとしてポケットファイルのポケット状のビニールに書類が挿入可能な程度の厚さ、おおよそ１ｃｍ前後のもの２式を用意する。
【請求項２】
まず、２式の長方体両方とも、長い両辺上の左右両面を挿入方向に対し鋭角の頂点を持ち、厚さを底辺とする直角三角形状に切り、次に挿入方向の長方体の上面を切り取り、底面のうち底辺で短い底辺の一方、挿入方向の辺を緩やかな凸状弓形に切る。
【請求項３】
２式を重ね合わせ、上を上蓋とし、下を下蓋とする。両者を重ね合わせ、底面の短い両辺のうち下蓋となった方の底面の挿入方向に緩やかな凸状弓形に切った底辺が、上蓋となった方の底面挿入方向に緩やかな凸状弓形に切った底辺から１，２ｃｍ程度はみ出るよう、上蓋を挿入方向と反対方向に１，２ｃｍ程度深く切る。また、上蓋となった方が、底面のうち底辺で短い底辺のうちもう一方、挿入方向と逆の辺上の面が下蓋より、挿入方向と逆の方向に１，２ｃｍ程度はみ出るようにする。
【請求項４】
下蓋は、挿入方向と反対方向の長方体の底面のうち底辺で短い底辺のうちもう一方、挿入方向と逆の辺上の面も切り取る。
【請求項５】
上蓋と下蓋とは、挿入方向に対しスライドできる状態とし、２式の重ね合わせ位置を特定するための凹凸のうちどちらかの溝を下蓋に、凹凸のうち残りの溝を上蓋に、上蓋と下蓋の底面に任意に設け、その溝が合わさることで、上蓋下蓋スライド時定位置を確認できるようにする。
【請求項６】
上蓋となった方が、底面のうち底辺で短い底辺のうちもう一方、挿入方向と逆の辺上の面が下蓋より、挿入方向と逆の方向に１，２ｃｍ程度はみ出る部分を、上蓋を出し入れする取っ手部分とする。上蓋と下蓋が、引き出し状で引き出しを出し入れするような動作をできる状態にする。
【請求項７】
挿入したい書類として、例えばたわみやすく折れやすいスーパーで買い物後受領するレシートで長さの異なるものを横に可能な限り横に並列に並べ、レシートの底部が挿入する方向となるように上蓋と下蓋の間に挟め、先端部分を上蓋から１，２ｃｍ程度挿入方向に対し下蓋の出た部分に乗り上蓋から出た状態に挟む。上蓋下蓋でレシートを、この状態で挟みながらポケット状のビニールカバーに挿入していく。
【請求項８】
弾力に富む透明プラスチック製の上蓋・下蓋は、挿入時や引き抜き時、挿入方向に対し垂直に弓上にたわむことが出来、上蓋・下蓋そのものやその間に挟んだ書類が、挿入時ポケット状のビニールカバーに引っかかかり折れたりするのを防ぎ、挿入・引き出し動作を円滑にするのを助勢する。
【請求項９】
ポケット状のビニールカバーの先端部に到達したら、手でポケット状のビニールカバーの上から、先端部分を上蓋から１，２ｃｍ程度挿入方向に対し下蓋の出た部分に乗り上蓋から出た部分を押さえ、最初に上蓋を引き抜く。その後下蓋を引き抜く。又は上蓋・下蓋同時に引き抜く。レシートで長さの異なるものが、並べたい向きとして、挿入する方向と逆向きに、ポケットファイルのポケット状のビニール内に挿入・差込み入り、めくれず、折れず、水平垂直方向に適切に配置される。
【請求項１０】
本器具は、スーパーの弁当の蓋を利用しており、廃品利用な為、使い捨て可能な防水性、廃棄の容易さ、環境負荷性、材料入手の容易さ及び廉価性がある。
【発明の詳細な説明】
【技術分野】
【０００１】    本発明は、使い捨て可能なポケットファイル等の書類挿入時めくれや曲がりを防止し挿入する器具に関するものである。
【技術背景】
【０００２】  文房具でポケットファイルが市販されている。これは、書類を透明又は半透明ビニールカバーがあり、そのポケット状のビニールカバーに書類を挿入・差し挟みファイル・綴じ込みをする。製品によっては、そのポケット状のビニールカバーに予め挿入した紙を台紙として備えたものもあり、ポケット状のビニールカバーの裏表に書類を１通ずつ挿入・差し挟み可能であり、その書類の間に予め挿入した台紙を中紙として差し挟んだ状態でファイル・綴じ込みをする。この書類を挿入・差込む際、Ａ４のファイルに通常はＡ４の書類を手作業で差し込む。
【０００３】  しかし、同じＡ４においても、挿入・差し込もうとする書類の枚数・材質及びめくれ・折曲がり等の状態、また場合によってはＡ４より小さい書類を挿入・差し込もうとする際のその書類の枚数・材質・書類の小ささ及びめくれ・折曲がり等の状態等によって、書類が挿入・差込みづらい・引っかかる、更にめくれる・又は折れる、また挿入・差し込んだ後、ポケット状のビニールカバー内で書類が水平垂直方向に適切に配置されない又はされづらい・ずれる、挿入途中でめくれ又は折れ引っかかることがあり、再度手作業で、指を伸ばした状態でポケット状のビニールに手を入れ、めくれ・折れ・位置のずれ等を修正する・入れたり出したりすることがあった。
【発明が解決しようとする課題】
【０００４】  同じＡ４においても、挿入・差し込もうとする書類の枚数・材質及びめくれ・折曲がり等の状態、また場合によってはＡ４より小さい書類を挿入・差し込もうとする際のその書類の枚数・材質・書類の小ささ及びめくれ・折曲がり等の状態等によって、書類が挿入・差込みづらい、更にめくれる・又は折れる、また挿入・差し込んだ後、ポケット状のビニールカバー内で書類が水平垂直方向に適切に配置されない又はされづらい、挿入途中でめくれ又は折れ引っかかることがあり、再度手作業で、指を伸ばした状態でポケット状のビニールに手を入れ、めくれ・折れ・位置のずれ等を、再度手作業で、指を伸ばした状態でポケット状のビニールに手を入れ、めくれ・位置のずれ等を修正する他ない。
【０００５】    特に、毎日の生活で発生する買い物のレジスターの領収書・レシートを、ポケットファイルのポケット状のビニールに挿入する場合が、煩わしい。まず、買い物の度に１枚発生し年度を通した発生量が多く、幅が一定している領収書・レシートが普及しているが長さが買い物の量によって一定しない。
【０００６】  また、領収書サイズのポケットファイルやクリップボード類が販売されているが、量が多い場合、ファイルする領収書・レシートの量、閉じたファイルの量、ファイル量が多いためファイルの目次や背表紙を付ける手間や保管場所を準備する手間等、量と手間を、領収書サイズのポケットファイルから例えば官公庁等で統一的な書類の大きさとして広く普及しているＡ４サイズポケットファイルにファイルすることで、１ページのファイル量をより多くファイルできることで、買い物のレジスターの領収書・レシートのファイルのファイリングの手間とそのファイルの保管場所の場所を節約・減容できないかも、解決すべき課題であった。そして、買い物のレジスターの領収書・レシートこそ、書類の枚数・材質・書類の小ささ及びめくれ・折曲がり等の状態等によって、書類が挿入・差込みづらい、更にめくれる・又は折れる、また挿入・差し込んだ後、ポケット状のビニールカバー内で書類が水平垂直方向に適切に配置されない又はされづらい、挿入途中でめくれ又は折れ引っかかることが頻繁に起きる書類のひとつであった。
【課題を解決するための手段】
【０００７】  小生が毎日仕事帰りに夕食として買うスーパーの弁当の蓋を利用して、使い捨て可能なポケットファイル等の書類挿入時めくれや曲がりを防止し挿入する器具が作成できるのではと考えた。これは、透明で、弾力に富み、封筒に手紙を垂直に挿入する際手紙を水平に弓状にたわめることによって、垂直方向に引っかからず折れ曲がることなく封筒内にスムーズに挿入することが可能だが、その手紙のようにたわめることが可能であり、且つ食事後廃棄する廃品利用でありまた環境負荷低減になり、低廉で入手容易であるからである。
【０００８】  弾力に富む透明プラスチック製の長方体で上面のない蓋状のもの、大きさは挿入しようとするポケットファイルサイズを下回る縦横の長さに、厚さとしてポケットファイルのポケット状のビニールに書類が挿入可能な程度の厚さ、おおよそ１ｃｍ前後のもの２式を用意する。
【０００９】  ２式の長方体両方とも、長い両辺上の左右両面を挿入方向に対し鋭角の頂点を持ち、厚さを底辺とする直角三角形状に切り、次に挿入方向の長方体の上面を切り取り、底面のうち底辺で短い底辺の一方、挿入方向の辺を緩やかな凸状弓形に切る。２式を重ね合わせ、上を上蓋とし、下を下蓋とする。
【００１０】  両者を重ね合わせ、底面の短い両辺のうち下蓋となった方の底面の挿入方向に緩やかな凸状弓形に切った底辺が、上蓋となった方の底面挿入方向に緩やかな凸状弓形に切った底辺から１，２ｃｍ程度はみ出るよう、上蓋を挿入方向と反対方向に１，２ｃｍ程度深く切る。また、上蓋となった方が、底面のうち底辺で短い底辺のうちもう一方、挿入方向と逆の辺上の面が下蓋より、挿入方向と逆の方向に１，２ｃｍ程度はみ出るようにする。
【００１１】  下蓋は、挿入方向と反対方向の長方体の底面のうち底辺で短い底辺のうちもう一方、挿入方向と逆の辺上の面も切り取る。上蓋と下蓋とは、挿入方向に対しスライドできる状態とし、２式の重ね合わせ位置を特定するための凹凸のうちどちらかの溝を下蓋に、凹凸のうち残りの溝を上蓋に、上蓋と下蓋の底面に任意に設け、その溝が合わさることで、上蓋下蓋スライド時定位置を確認できるようにする。
【００１２】  上蓋となった方が、底面のうち底辺で短い底辺のうちもう一方、挿入方向と逆の辺上の面が下蓋より、挿入方向と逆の方向に１，２ｃｍ程度はみ出る部分を、上蓋を出し入れする取っ手部分とする。上蓋と下蓋が、引き出し状で引き出しを出し入れするような動作をできる状態にする。
【００１３】  挿入したい書類として、たわみやすく折れやすいスーパーで買い物後受領するレシートで長さの異なるものを横に可能な限り並列に並べ、レシートの底部が挿入する方向となるように上蓋と下蓋の間に挟め、先端部分を上蓋から１，２ｃｍ程度挿入方向に対し下蓋の出した状態で、下蓋の底面挿入方向に緩やかな凸状弓形に切った底辺が、上蓋底面挿入方向に緩やかな凸状弓形に切った底辺から１，２ｃｍ程度はみ出るようにする。引き出し状にした上蓋と下蓋との間に、挿入する書類を、先が１，２ｃｍ程度出るように挟む。
【００１４】  上蓋を挿入方向と反対方向に１，２ｃｍ程度深く切るポケット状のビニールカバーに挿入していく。弾力に富む透明プラスチック製の上蓋・下蓋は、挿入時や引き抜き時、挿入方向に対し垂直に弓上にたわむことが出来、上蓋・下蓋そのものやその間に挟んだ書類が、挿入時ポケット状のビニールカバーに引っかかかり折れたりするのを防ぎ、挿入・引き出し動作を円滑にするのを助勢する。引き出し状にした上蓋と下蓋を、今度は引き出しの中へ入れていくということである。
【００１５】  ポケット状のビニールカバーの先端部に到達したら、手でポケット状のビニールカバーの上から、スーパーで買い物後受領するレシートで長さの異なるもので、下蓋の底面挿入方向に緩やかな凸状弓形に切った底辺が、上蓋底面挿入方向に緩やかな凸状弓形に切った底辺から１，２ｃｍ程度はみ出るようにし下蓋に乗って出ていた部分を押さえ、最初に上蓋を引き抜く。その後下蓋を引き抜く。又は上蓋・下蓋同時に引き抜く。引き出し状にした上蓋と下蓋を、今度は引き出しから抜いていく。
【発明の効果】
スーパーで買い物後受領するレシートで長さの異なるものが、並べたい向きとして、挿入する方向と逆向きに、ポケットファイルのポケット状のビニール内に挿入・差込み入り、めくれず、折れず、水平垂直方向に適切に配置される。挿入しようとするポケットファイルと同じサイズの書類においても、同様である。透明で弾力に富むから、挿入状況や挿入する紙の状態を確認しながら、ポケット状のビニールカバーのゆがみやたわみに追従し、めくれる・折れることなく、手の力加減で封筒に手紙を垂直に挿入する際手紙を水平に弓状にたわめることによって、垂直方向に引っかからず折れ曲がることなく封筒内にスムーズに挿入することが可能だが、その手紙のようにたわめることが可能である。防水性、廃棄の容易さ、環境負荷性、材料入手の容易さ及び廉価性がある。
【図面の簡単な説明】
【００１６】
【図１】本発明の斜見図である。
【図２】本発明の上面及び使用図である。
【図３】本発明の上面及び使用図である。
【図４】本発明の上面及び使用図である。
【図５】本発明の上面及び使用図である。
【図６】本発明の上面及び使用図である。
【図７】本発明の上面及び使用図である。
【図８】本発明の上面及び使用図である。
【図９】本発明の上面及び使用図である。
【図１０】本発明の上面及び使用図である。
【図１１】本発明の上面及び使用図である。
【発明を実施するための形態】
本発明を実施するための形態を説明する。
【００１７】弾力に富む透明プラスチック製の長方体で上面のない蓋状のもの、大きさは挿入しようとするポケットファイルサイズを下回る縦横の長さに、厚さとしてポケットファイルのポケット状のビニールに書類が挿入可能な程度の厚さ、おおよそ１ｃｍ前後のもの２式を用意する。
【００１８】  ２式の長方体両方とも、長い両辺上の左右両面を挿入方向に対し鋭角の頂点を持ち、厚さを底辺とする直角三角形状に切り、次に挿入方向の長方体の上面を切り取り、底面のうち底辺で短い底辺の一方、挿入方向の辺を緩やかな凸状弓形に切る。２式を重ね合わせ、上を上蓋とし、下を下蓋とする。
【００１９】  両者を重ね合わせ、底面の短い両辺のうち下蓋となった方の底面の挿入方向に緩やかな凸状弓形に切った底辺が、上蓋となった方の底面挿入方向に緩やかな凸状弓形に切った底辺から１，２ｃｍ程度はみ出るよう、上蓋を挿入方向と反対方向に１，２ｃｍ程度深く切る。また、上蓋となった方が、底面のうち底辺で短い底辺のうちもう一方、挿入方向と逆の辺上の面が下蓋より、挿入方向と逆の方向に１，２ｃｍ程度はみ出るようにする。
【００２０】  下蓋は、挿入方向と反対方向の長方体の底面のうち底辺で短い底辺のうちもう一方、挿入方向と逆の辺上の面も切り取る。上蓋と下蓋とは、挿入方向に対しスライドできる状態とし、２式の重ね合わせ位置を特定するための凹凸のうちどちらかの溝を下蓋に、凹凸のうち残りの溝を上蓋に、上蓋と下蓋の底面に任意に設け、その溝が合わさることで、上蓋下蓋スライド時定位置を確認できるようにする。
【００２１】  上蓋となった方が、底面のうち底辺で短い底辺のうちもう一方、挿入方向と逆の辺上の面が下蓋より、挿入方向と逆の方向に１，２ｃｍ程度はみ出る部分を、上蓋を出し入れする取っ手部分とする。上蓋と下蓋が、引き出し状で引き出しを出し入れするような動作をできる状態にする。
本発明は、以上のような形態である。
【００２２】  本発明を使用するときは、例として挿入したい書類として、たわみやすく折れやすいスーパーで買い物後受領するレシートで長さの異なるものを横に可能な限り複数枚並列に並べ、レシートの底部が挿入する方向となるように上蓋と下蓋の間に挟め、先端部分を上蓋から１，２ｃｍ程度挿入方向に対し下蓋の出た部分に乗り上蓋から出た状態に挟む。上蓋下蓋でレシートを、この状態で挟みながらポケット状のビニールカバーに挿入していく。
【００２３】  弾力に富む透明プラスチック製の上蓋・下蓋は、挿入時や引き抜き時、挿入方向に対し垂直に弓上にたわむことが出来、上蓋・下蓋そのものやその間に挟んだ書類が、挿入時ポケット状のビニールカバーに引っかかかり折れたりするのを防ぎ、挿入・引き出し動作を円滑にするのを助勢する。ポケット状のビニールカバーの先端部に到達したら、手でポケット状のビニールカバーの上から、先端部分を上蓋から１，２ｃｍ程度挿入方向に対し下蓋の出た部分に乗り上蓋から出た部分を押さえ、最初に上蓋を引き抜く。その後下蓋を引き抜く。又は上蓋・下蓋同時に引き抜く。
【００２４】  レシートで長さの異なるものが、並べたい向きとして、挿入する方向と逆向きに、ポケットファイルのポケット状のビニール内に挿入・差込み入り、めくれず、折れず、水平垂直方向に適切に配置される。本器具は、スーパーの弁当の蓋を利用しており、廃品利用な為、使い捨て可能な防水性、廃棄の容易さ、環境負荷性、材料入手の容易さ及び廉価性がある。
【００２５】  ポケット状のビニールカバーの先端部に到達したら、手でポケット状のビニールカバーの上から、スーパーで買い物後受領するレシートで長さの異なるもので、下蓋の底面挿入方向に緩やかな凸状弓形に切った底辺が、上蓋底面挿入方向に緩やかな凸状弓形に切った底辺から１，２ｃｍ程度はみ出るようにし下蓋に乗って出ていた部分を押さえ、最初に上蓋を引き抜く。その後下蓋を引き抜く。又は上蓋・下蓋同時に引き抜く。引き出し状にした上蓋と下蓋を、今度は引き出しから抜いていく。
【符号の説明】
【００２６】１  下蓋
２  上蓋
３  溝
４  レシート
５  ポケットファイルの中紙
６  ポケットファイルのポケット状ビニール
【図１】
2014138995.tif 000003
【図２】
2014138995.tif 000004
【図３】
2014138995.tif 000005
【図４】
2014138995.tif 000006
【図５】
2014138995.tif 000007
【図６】
2014138995.tif 000008
【図７】
2014138995.tif 000009
【図８】
2014138995.tif 000010
【図９】
2014138995.tif 000011
【図１０】
2014138995.tif 000012
【図１１】
2014138995.tif 000013